(57)【要約】【課題】入浴に邪魔にならず手軽に扱え、浴槽水のごみを確実に捕獲でき、更に、簡単にフィルタ部が交換できる浴槽水濾過具を提供する。【解決手段】浴槽水濾過具１０は、浴槽水に浮遊するごみを捕獲するフィルタ部２０と、フィルタ部２０が収容され、浴槽水をフィルタ部２０に通水させるための開口部３１ａが形成されたケース部３０とを備えている。このケース部３０には、利用者が把持して浴槽水を撹拌するための取手部３２が形成されている。浴槽水濾過具１０は、フィルタ部２０をケース部３０に収容した状態で、浴槽水に浮上または浮遊させて使用することができる。また、利用者が取手部３２を持って、浴槽内で、浴槽水濾過具１０を揺らして、浴槽水を撹拌するようにして使用することができる。そうすることで、ケース部３０の開口部３１ａから浸入する浴槽水の通水を促進させることができるので、より早く浴槽水の汚れを除去することができる。【選択図】図１
2016202454.tif 000002
【特許請求の範囲】
【請求項１】
浴槽水に浮遊するごみを捕獲するフィルタ部と、
前記フィルタ部が収容され、浴槽水を前記フィルタ部に通水させるための開口部が形成されたケース部とを備えたことを特徴とする浴槽水濾過具。
【請求項２】
前記ケース部は、１枚のシート状部材を打ち抜いて、おもて面部と、裏面部とが形成され、前記おもて面部と前記裏面部との境界を折り曲げてポケット状に形成されている請求項１記載の浴槽水濾過具。
【請求項３】
前記ケース部には、利用者が把持して浴槽水を撹拌するための取手部が形成された請求項１または２記載の浴槽水濾過具。
【請求項４】
前記フィルタ部を前記ケース部に収容した状態で、浴槽水に浮上または浮遊するように形成されている請求項１から３のいずれかの項に記載の浴槽水濾過具。
【請求項５】
前記開口部には、中心側に突出した突起部が形成されている請求項１から４のいずれかの項に記載の浴槽水濾過具。
【請求項６】
前記フィルタ部に、ゼオライト、活性炭または光触媒のいずれか１つ、またはこれらの組み合わせ、若しくは全部を担持させた請求項１から５のいずれかの項に記載の浴槽水濾過具。
【請求項７】
前記フィルタ部は、一部または全部が親油性繊維により形成されている請求項１から６のいずれかの項に記載の浴槽水濾過具。
【発明の詳細な説明】
【技術分野】
【０００１】
本発明は、浴槽水に浮遊する髪の毛や石鹸カスなどのごみを、浴槽水から除去する浴槽水濾過具に関するものである。
【背景技術】
【０００２】
浴槽水に、髪の毛や石鹸カスなどのごみが浮遊していると不衛生である。また、浴槽に浸かる利用者にごみが付着してしまい、折角、洗った身体が汚れることがある。
浴槽水に浮遊するごみを回収するものとして、特許文献１〜４に記載されたものが知られている。
【０００３】
特許文献１に記載の風呂クリーナーは、浮子体の外周部の対称位置に設けられた吸水口から電動ポンプにより水を吸引し、浮子体の下側に設けられた排水口から水を排出して、吸水口に設けられたフィルタにより、ごみを集めるものである。
【０００４】
特許文献２に記載の湯垢の除去器具は、上部に平らな吸い込み口を有し、且つ底部付近よりパイプにより誘導されて開口部に達する排水部分を設けた、例えば白鳥の形のプラスティック製風呂用玩具とした容器を、浴槽内の湯の表面と吸い込み口を合わせて水平としたまま静かに沈め、湯の表面に浮いている湯垢を容器内に吸い込ませ、次にその容器を、開口部を下にするように傾けて底の湯を浴槽内へ戻して湯量を減らし、浮いている湯垢を濃縮させた上で浴槽外に廃棄するものである。
【０００５】
特許文献３に記載の浮きゴミ回収ネットは、四角い形状記憶ワイヤに目の細かいネットを張り、浮きとフックをつけたものである。
【０００６】
特許文献４に記載の風呂垢取り器は、浮体部の浮体ベースに電池と動力モータの回転軸を下向き垂直に備え、提灯の様な形状の槽中間部内部で複数の羽根を持つスクリューを、動力モータにより回転させて渦巻きを発生させ、湯面の喫水と同レベルに設けた渦巻槽の開口部を設けた流入部から湯を取り込み、渦巻きの力でフィルタ部に吐出させて濾過するものである。
【先行技術文献】
【特許文献】
【０００７】
【特許文献１】特開２００３−４７５６９号公報
【特許文献２】特開２００７−２８３０７７号公報
【特許文献３】特開２００８−２０６９４１号公報
【特許文献４】特開２０１３−１１１４５０号公報
【発明の概要】
【発明が解決しようとする課題】
【０００８】
しかし、特許文献１，４に記載の従来の浴槽水濾過具では、モータを駆動して流水を発生するものであり、大掛かりな装置に構成されているため、浴槽に浮かせると利用者の入浴の邪魔になる。
特許文献２に記載の従来の浴槽水濾過具では、利用者自身が浴槽水を汲み上げる必要があり、煩雑である。また、フィルタがないため、浴槽内へ湯を戻すときに一緒にごみも戻ってしまう。
特許文献３に記載の従来の浴槽水濾過具では、ワイヤにネットを固定しているため、ネットが汚れても簡単には交換することができない。
【０００９】
そこで本発明は、入浴に邪魔にならず手軽に扱え、浴槽水のごみを確実に捕獲でき、更に、簡単にフィルタ部が交換できる浴槽水濾過具を提供することを目的とする。
【課題を解決するための手段】
【００１０】
本発明の浴槽水濾過具は、浴槽水に浮遊するごみを捕獲するフィルタ部と、前記フィルタ部が収容され、浴槽水を前記フィルタ部に通水させるための開口部が形成されたケース部とを備えたことを特徴とする。
【００１１】
本発明の浴槽水濾過具によれば、ケース部に収納されたフィルタ部がケース部の開口部から浴槽水が通水して、浴槽水の汚れをフィルタ部に捕獲させることができる。また、ケース部からフィルタ部を取り出せば、フィルタ部の交換も容易である。
【００１２】
前記ケース部は、利用者が把持して浴槽水を撹拌するための取手部が形成されているのが望ましい。利用者は取手部を把持して浴槽水を本発明の浴槽水濾過具により撹拌すれば、ケース部の開口部から浸入する浴槽水の通水を促進させることができるので、より早く浴槽水の汚れを除去することができる。
【００１３】
前記ケース部は、１枚のシート状部材を打ち抜いて、おもて面部と、裏面部とが形成され、前記おもて面部と前記裏面部との境界を折り曲げてポケット状に形成されているのが望ましい。
このようにケース部が形成されていることで、簡単にフィルタ部を収納するケース部を形成することができる。また、小型で取り扱い易いケース部を安価に製造することができる。
【００１４】
前記フィルタ部を前記ケース部に収容した状態で、浴槽水に浮上または浮遊するように形成されているのが望ましい。本発明の浴槽水濾過具を、浴槽水に浮上させた状態としたり、浮遊させた状態としたりすることで、放置した状態でも浴槽水を濾過することができる。
【００１５】
前記開口部には、中心側に突出した突起部が形成されていると、フィルタ部だけでなく、この突起部に浴槽水に浮遊するごみを引っ掛けさせることができる。
【００１６】
前記フィルタ部に、ゼオライト、活性炭または光触媒のいずれか１つ、またはこれらの組み合わせ、若しくは全部を担持させるのが望ましい。フィルタ部に、ゼオライトや活性炭を担持させると、フィルタ部にごみを引っ掛けさせることができると共に、浴槽水を浄化させることができる。また、フィルタ部に、光触媒を担持させると、フィルタ部を光照射することで、フィルタ部の汚れを除去することができる。
【００１７】
前記フィルタ部の一部または全部が親油性繊維により形成されていると、浴槽水のごみだけでなく、浴槽水に浮遊する皮脂などの脂分もフィルタ部に吸着させることができるので、更に衛生的な浴槽水とすることができる。
【発明の効果】
【００１８】
本発明は、ケース部にフィルタ部が収容されているだけなので、利用者は入浴に邪魔にならず手軽に扱え、浴槽水のごみを確実に捕獲でき、更に、簡単にフィルタ部が交換できる。
【図面の簡単な説明】
【００１９】
【図１】本発明の実施の形態に係る浴槽水濾過具を示す斜視図である。
【図２】図１に示す浴槽水濾過具のフィルタ部の斜視図である。
【図３】図１に示す浴槽水濾過具のケース部を展開した状態の図である。
【図４】図３に示すケース部の突片部の変形例を説明するため図である。
【図５】（Ａ）から（Ｃ）は、図１に示す浴槽水濾過具の使用状態を説明するための図である。
【発明を実施するための形態】
【００２０】
本発明の実施の形態に係る浴槽水濾過具について、図面に基づいて説明する。なお、本実施の形態では、浴槽水濾過具の取手部側を上、反対側を下として説明する。
図１に示すように浴槽水濾過具１０は、浴槽水から髪の毛や石鹸カスなどのごみ、および皮脂などの脂分を捕獲するフィルタ部２０と、このフィルタ部を収納するケース部３０とを備えている。
浴槽水濾過具１０は、浴槽水に浮上または浮遊するように、比重が水よりも小さくまたは同じに形成されている。
【００２１】
フィルタ部２０は、耐水性を有するシート状の不織布により形成されている。本実施の形態では、フィルタ部２０は、矩形板状に形成されている。
フィルタ部２０として使用される不織布は、髪の毛や湯垢を付着させて除去できる程度のメッシュのものであれば、様々なものが使用できる。例えば、フィルタ部２０としては、レンジフィルタとして使用されるものが流用できる。
また、フィルタ部２０は、ポリプロピレンやポリエチレン、ポリスチレン、多孔質の天然繊維など、油吸着材として使用されるような親油性の高い繊維（以下、親油性繊維と称す。）により、一部または全部を形成することができる。
【００２２】
ケース部３０は、ケース本体部３１と取手部３２とから形成されている。
ケース本体部３１は、フィルタ部２０が収容され、浴槽水をフィルタ部２０に通水させるための開口部３１ａが複数形成されている。本実施の形態では、開口部３１ａはハート型に形成されている。ケース本体部３１の底部３１ｂは、内側に凹む円弧面に形成されている。
【００２３】
取手部３２は、ケース本体部３１の上部に形成されている。取手部３２には、利用者が把持するときに指を通すための通し孔３２ａが形成されている。この取手部３２は、保管時に浴室の壁面などに設けられたフック等に掛けて収納することで、使用後の水切りが良く、衛生的に収納することができる。
【００２４】
ここで、ケース部３０について、図３に基づいて詳細に説明する。
ケース部３０は、シート状部材である一枚の硬質の樹脂板を打ち抜き、折り曲げることにより形成されている。ケース部３０は、おもて面部４０と、裏面部５０と、縁片６０とから形成されている。おもて面部４０と、裏面部５０とは、長手方向Ｆに沿った折り曲げ線Ｌ１を境界に接続されている。
【００２５】
おもて面部４０は、ケース本体部３１のおもて側となる。おもて面部４０には、厚みのあるフィルタ部２０を収納して、ケース部３０が立体的になったときに、できる隙間を塞ぐための蓋部４１とおもて側底部４２とが、円弧状の折り曲げ線Ｌ２,Ｌ３を境界に形成されている。
蓋部４１には、おもて面部４０の胴部４３に形成されたハート型の開口部３１ａと同様なハート型の開口部４１ａが形成されている。おもて側底部４２には、後述する裏側底部を重ねたときに、裏側底部に差し込むための突片部４２ａを引き起こすための切り込み線Ｌ４が形成されている。
【００２６】
裏面部５０にも、ハート型の開口部３１ａが形成されている。裏面部５０の上部には、長手方向Ｆと直交する方向に沿った折り曲げ線Ｌ５で二つ折り折りされて取手部３２（図１参照）となる第１取手部５１および第２取手部５２が形成されている。第１取手部５１は、裏面部５０の胴部５３に境目なく連続して形成されている。なお、本実施の形態では、第１取手部５１に第２取手部５２が繋がって、第２取手部５２を折り曲げ線Ｌ５にて折り返すことで、取手部３２が形成されるが、第２取手部５２は省略することができる。
【００２７】
胴部５３の上部には、蓋部４１の上端部が差し込まれる切り込み線Ｌ６が形成されている。
裏面部５０には、おもて側底部４２と共に、ケース部３０の底面となる裏側底部５４が、おもて側底部４２に対応させて、円弧状の折り曲げ線Ｌ７を境界に形成されている。裏側底部５４には、おもて側底部４２の突片部４２ａが差し込まれる切り込み線Ｌ８が形成されている。なお、おもて側底部４２と裏側底部５４とは、蓋部４１と同様に、一方の底部を折り曲げずに、他方の底部を一方の底部に差し込むような形状にしてもよい。
【００２８】
また、図３に示す突片部４２ａは、図４に示す突片部４２ｂのように形成することもできる。突片部４２ｂを、折り曲げ線Ｌ３とは反対側のおもて側底部４２の端辺から突出させ、裏側底部５４の折り曲げ線Ｌ７側に穿孔されたスリット状の差込口５４ａに差し込めば、おもて側底部４２と裏側底部５４とが重ね合わされたケース部３０の底部３１ｂとすることができる。この突片部４２ｂは六角形に形成されているため、差込口５４ａに差し込むと、両側部の角部が差込口５４ａの両端部に係止するため、突片部４２ｂが差込口５４ａから抜けることが規制される。
【００２９】
縁片６０は、長方形状に形成され、おもて面部４０と裏面部５０との境界とは反対側のおもて面部４０の端辺に、長手方向Ｆに沿った折り曲げ線Ｌ９を介して接続されている。
【００３０】
次に、このように展開されるケース部３０の組み立て、浴槽水濾過具を製造する方法を図面に図３に基づいて説明する。
まず、縁片６０をおもて面部４０の裏側に回り込ませるよう折り曲げ線Ｌ９を中心に折り曲げる。次に、おもて面部４０と裏面部５０とを、折り曲げ線Ｌ１を中心に二つ折りする。次に、裏面部５０と縁片６０との重なり部分を接着する。
裏面部５０と縁片６０との接着方法は、接着剤での接着や、超音波接着、熱溶着、または差し込み式でもよい。
また、縁片６０は、おもて面部４０に設けられているが、おもて面部４０の代わりに裏面部５０に設けられていてもよい。
【００３１】
次に、折り曲げ線Ｌ５を中心に、第２取手部５２を第１取手部５１に重ねるようにして二つ折りする。
【００３２】
次に、折り曲げ線Ｌ２，Ｌ３および折り曲げ線Ｌ７を鈍角に山折りする。
折り曲げ線Ｌ３にて折り曲げたおもて側底部４２の突片部４２ａを、折り曲げ線Ｌ７にて折り曲げた裏側底部５４の切り込み線Ｌ８に差し込んで、おもて側底部４２と裏側底部５４とを重ね合わせて、ケース部３０の底部３１ｂを形成する。
【００３３】
裏面部５０と縁片６０とを接着し、おもて側底部４２と裏側底部５４とを重ね合わせて、ケース部３０の底部３１ｂを形成することで、ケース本体部３１が厚みのある立体的なポケット状に形成されるので、ケース本体部３１にフィルタ部２０を挿入する。
最後に、折り曲げ線Ｌ２にて折り曲げた蓋部４１の上端を切り込み線Ｌ６に差し込むことで、図１に示す浴槽水濾過具１０を製造することができる。
【００３４】
以上のように構成された浴槽水濾過具１０の使用状態について、図面に基づいて説明する。
まず、図５（Ａ）に示すように、浴槽水Ｗを満たした浴槽Ｂに浴槽水濾過具１０を浮かせる。または、浴槽Ｂに浴槽水濾過具１０を入れ、浴槽水を注入して、浴槽Ｂに満たすようにしてもよい。浴槽水濾過具１０は、比重が浴槽水以下であるため、浴槽水に浮上または浮遊する。
浴槽水濾過具１０が浴槽水に浮いた状態で、浴槽水がケース部３０の開口部３１ａから浸入してフィルタ部２０を通過することで、フィルタ部２０が浴槽水に浮遊する髪の毛や石鹸カスなどのごみを捕獲する。また、フィルタ部２０が、親油性繊維により形成されている、または親油性繊維を含むように形成されていれば、皮脂などの脂分を吸着することができる。
このように、浴槽水濾過具１０を、浴槽水Ｗに、浮上させた状態としたり、浮遊させた状態としたりすることで、放置した状態でも浴槽水Ｗを濾過することができる。
【００３５】
複数の利用者が浴槽Ｂを利用した後で入力する利用者が、浴槽Ｂに浸かりながら、浴槽水の汚れを発見したときには、図５（Ｂ）および同図（Ｃ）に示すように、利用者は浴槽水濾過具１０の取手部３２を把持して、上下方向や左右方向に浴槽水濾過具１０を揺らして浴槽水を撹拌する。また、利用者は浴槽水濾過具１０を斜め方向に往復させたり、アラビア数字の「８」のように旋回させたりするように撹拌することもできる。更に、例えば、ざるですくうように浴槽水濾過具１０で浴槽水をすくったり、浴槽水濾過具１０の半分を水面から露出した状態で、水の汚れをすくうように水平に移動させるようにしたりしてもよい。
反対に、スコップで土をすくうように、利用者がケース部３０を持って、取手部３２で浴槽水をすくい、蓋部４１の開口部４１ａに浴槽水中のごみを誘導して捕獲するようにして、浴槽水を濾過してもよい。
そうすることで、ケース部３０の開口部３１ａや蓋部４１の開口部４１ａから浸入する浴槽水Ｗの通水を促進させることができるので、より早く浴槽水Ｗの汚れを除去することができる。
【００３６】
このように本実施の形態に係る浴槽水濾過具１０は、ケース部３０に収納されたフィルタ部２０がケース部３０の開口部３１ａから浴槽水が通水して、浴槽水の汚れをフィルタ部２０に捕獲させることができる。また、ケース部３０からフィルタ部２０を取り出せば、フィルタ部２０の交換も容易である。従って、浴槽水濾過具１０は、ケース部３０にフィルタ部２０が収容されているだけなので、利用者は、入浴に邪魔にならず手軽に扱え、浴槽水のごみ、および皮脂などの脂分を確実に捕獲でき、更に、簡単にフィルタ部２０が交換できる。
【００３７】
ケース部３０が、１枚のシート状部材を打ち抜き、おもて面部４０と裏面部５０とを折り曲げてポケット状に形成されているので、簡単にフィルタ部２０を収納するケース部３０を形成することができる。また、小型で取り扱い易いケース部３０を安価に、かつ大量に製造することができる。
【００３８】
また、開口部３１ａがハート型に形成されていることで、開口部３１ａの中心側に突出した突起部３１ｃ（図１参照）が形成されるため、この突起部３１ｃに、フィルタ部２０に通水する髪の毛などのごみを引っ掛けさせることができる。従って、フィルタ部２０位外に、ケース部３０でもごみを除去させることができる。
なお、フィルタ部２０に通水する開口部３１ａは、ハート型とする以外に、円形状、楕円形状、星型、正多角形、異形状などとすることができるが、突起部が形成されるという観点から、ハート型とする以外に、星型としたり、開口部の中心側に突出する異形状としたりすることができる。開口部をハート型としたり、星型としたりすることで意匠性を向上させることができる。
【００３９】
本実施の形態では、フィルタ部２０は、矩形板状の不織布を使用しているが、このフィルタ部を矩形状の袋に形成して、その中に、ゼオライトや活性炭を入れて担持させてもよい。袋状のフィルタ部にゼオライトや活性炭を入れたときに、フィルタ部から零れる場合には、予めゼオライトや活性炭をメッシュ状の袋に入れ、フィルタ部に入れるのが望ましい。フィルタ部にゼオライトや活性炭を担持させることにより、ゼオライトや活性炭が浴槽水の微細な汚れを吸着するので、浴槽水の浄化を、より一層図ることができる。
【００４０】
更に、フィルタ部２０に酸化チタンなどの光触媒を付与することもできる。フィルタ部２０に酸化チタンなどの光触媒を担持させることにより、浴槽水濾過具１０を浴槽水に浮上または浮遊させているときに、照明の照射によりフィルタ部２０だけでなく、フィルタ部２０が含む浴槽水の汚れを除去することができる。また、フィルタ部２０をケース部３０から取り出して日光や照明に晒して、光照射することでも、フィルタ部２０の汚れを除去することができる。
【００４１】
これらのゼオライト、活性炭または光触媒は、いずれか１つ、またはこれらの組み合わせ、若しくは全部を、フィルタ部に担持させることができる。
【産業上の利用可能性】
【００４２】
本発明の浴槽水濾過具は、個人宅の浴槽だけでなく、公衆浴場や、ホテル、旅館などの宿泊施設の浴槽でも使用することができる。
【符号の説明】
【００４３】
１０  浴槽水濾過具
２０  フィルタ部
３０  ケース部
３１  ケース本体部
３１ａ  開口部
３１ｂ  底部
３１ｃ  突起部
３２  取手部
３２ａ  通し孔
４０  おもて面部
４１  蓋部
４１ａ  開口部
４２  おもて側底部
４２ａ，４２ｂ  突片部
４３  胴部
５０  裏面部
５１  第１取手部
５２  第２取手部
５３  胴部
５４  裏側底部
５４ａ  差込口
６０  縁片
Ｌ１，Ｌ２，Ｌ３，Ｌ５，Ｌ７，Ｌ９  折り曲げ線
Ｌ４，Ｌ６，Ｌ８  切り込み線
Ｂ  浴槽
Ｗ  浴槽水
Ｆ  長手方向
【図１】
2016202454.tif 000003
【図２】
2016202454.tif 000004
【図３】
2016202454.tif 000005
【図４】
2016202454.tif 000006
【図５】
2016202454.tif 000007